(57)【特許請求の範囲】
【請求項１】
中央に配設されたノズル要素（４）を備えた消火用ノズルヘッド（１）と、
噴射ノズル（２２）が取り付けられたノズル本体（１８）内に放出を行う、中央に配設された消火用ノズル（６）を具備するノズル要素（４）と、
ノズル本体（１８）を包囲する泡沫用チューブ（１２）であって、該泡沫用チューブ（１２）の一方の端部には泡沫出口孔（１７）が設けられ且つ他方の端部には泡沫出口孔（１７）よりも直径の大きい入口孔（２０）が設けられる、泡沫用チューブとを具備し、
ノズル本体（１８）を包囲する泡沫用チューブ（１２）の部分（１３）は入口孔（２０）から泡沫出口孔（１７）に向かって細くなるようにテーパが付けられている、消火用泡沫発生装置。
【請求項２】
中央に配設されたノズル要素（４）を備えた消火用ノズルヘッド（１）と、
中央に配設されると共に、ノズル要素の自由面（５）に配設された消火用ノズル（６）と、該中央に配設された消火用ノズル（６）の周りに角度間隔αで配置される補助ノズル（７ａ、７ｂ、７ｃ）とを具備するノズル要素（４）であって、上記中央に配設された消火用ノズル（６）及び補助ノズル（７ａ、７ｂ、７ｃ）が噴射ノズル（２２）の取り付けられたノズル本体（１８）内に放出を行う、ノズル要素（４）と、
ノズル本体（１８）を包囲する泡沫用チューブ（１２）であって、該泡沫用チューブ（１２）の一方の端部には泡沫出口孔（１７）が設けられ且つ他方の端部には泡沫出口孔（１７）よりも直径の大きい入口孔（２０）が設けられる、泡沫用チューブとを具備し、
ノズル本体（１８）を包囲する泡沫用チューブ（１２）の部分（１３）は入口孔（２０）から泡沫出口孔（１７）に向かって細くなるようにテーパが付けられている、消火用泡沫発生装置。
【請求項３】
中央に配設されたノズル要素（４）を備えた消火用ノズルヘッド（１）と、
中央に配設されると共に、ノズル要素の自由面（５）に配設された消火用ノズル（６）と、該中央に配設された消火用ノズル（６）の周りに角度間隔αで配置されると共に中央に配設された消火用ノズル（６）のボア孔と平行に軸線方向に延びるボア孔を有する補助ノズル（７ａ、７ｂ、７ｃ）とを具備するノズル要素（４）であって、上記中央に配設された消火用ノズル（６）及び補助ノズル（７ａ、７ｂ、７ｃ）が噴射ノズル（２２）の取り付けられたノズル本体（１８）内に放出を行う、ノズル要素（４）と、
ノズル本体（１８）を包囲する泡沫用チューブ（１２）であって、該泡沫用チューブ（１２）の一方の端部には泡沫出口孔（１７）が設けられ且つ他方の端部には泡沫出口孔（１７）よりも直径の大きい入口孔（２０）が設けられる、泡沫用チューブとを具備し、
ノズル本体（１８）を包囲する泡沫用チューブ（１２）の部分（１３）は入口孔（２０）から泡沫出口孔（１７）に向かって細くなるようにテーパが付けられている、消火用泡沫発生装置。
【請求項４】
中央に配設されたノズル要素（４）を備えた消火用ノズルヘッド（１）と、
噴射ノズル（２２）が取り付けられたノズル本体（１８）内に放出する、中央に配設された消火用ノズル（６）を具備するノズル要素（４）と、
ノズル本体（１８）を包囲する泡沫用チューブ（１２）であって、該泡沫用チューブ（１２）の一方の端部には泡沫出口孔（１７）が設けられ且つ他方の端部には泡沫出口孔（１７）よりも直径の大きい入口孔（２０）が設けられる、泡沫用チューブとを具備し、
ノズル本体（１８）を包囲する泡沫用チューブ（１２）の部分（１３）は入口孔（２０）から泡沫出口孔（１７）に向かって細くなるようにテーパが付けられており、
少なくとも一つのスクリーン開口（２５、２６）が消火液の流れの方向において前記噴射ノズル（２２）の手前にある、消火用泡沫発生装置。
【請求項５】
中央に配設されたノズル要素（４）を備えた消火用ノズルヘッド（１）と、
噴射ノズル（２２）が取り付けられたノズル本体（１８）内に放出する、中央に配設された消火用ノズル（６）を具備するノズル要素（４）と、
ノズル本体（１８）を包囲する泡沫用チューブ（１２）であって、該泡沫用チューブ（１２）の一方の端部には泡沫出口孔（１７）が設けられ且つ他方の端部には泡沫出口孔（１７）よりも直径の大きい入口孔（２０）が設けられる、泡沫用チューブとを具備し、
ノズル本体（１８）を包囲する泡沫用チューブ（１２）の部分（１３）は入口孔（２０）から泡沫出口孔（１７）に向かって細くなるようにテーパが付けられており、
少なくとも一つのスクリーン開口（２５、２６）が消火液の流れの方向において前記噴射ノズル（２２）の手前にあり、
前記噴射ノズル（２２）と前記スクリーン開口（２５、２６）とは部分的にのみ重なる、消火用泡沫発生装置。
【請求項６】
前記泡沫用チューブ（１２）の全長は該泡沫用チューブ（１２）の入口孔（２０）の断面の大きさの三倍から四倍である、請求項１〜５のいずれか一つに記載の消火用泡沫発生装置。
【請求項７】
前記ノズル本体（１８）は前記泡沫用チューブ（１２）の壁に支持される支持要素（１９）によって該泡沫用チューブ（１２）に連結される、請求項１〜５のいずれか一つに記載の消火用泡沫発生装置。
【請求項８】
前記支持要素（１９）は一体部材として前記ノズル本体に連結される、請求項７に記載の消火用泡沫発生装置。
【請求項９】
前記噴射ノズル（２２）は付加的な消火用ノズル（１ｃ）が取り付けられた消火用ノズルヘッド（１）によって保持される、請求項１〜５のいずれか一つに記載の消火用泡沫発生装置。
【発明の詳細な説明】
【０００１】
本発明は、噴出ノズルが取付けられたノズル本体とこのノズル本体を囲う泡沫用チューブとから成る消火用泡沫発生装置に関し、泡沫用チューブの一方の前側には泡沫出口孔が設けられ、反対側の前側には泡沫出口孔よりも直径が大きい入口孔が設けられる。このような消火用泡沫発生装置は、例えば消火液として水を使用することができない場合に、固定型消火器または可動型消火器として泡沫で火をおおい消すのに用いられる。
【０００２】
英国特許第１０１８４３１号により或る消火用泡沫発生装置が公知である。この公報に記載されている装置は筒状部分においてノズル本体を囲う泡沫用チューブを有する。ノズル本体は消火液を放出するノズルを有する。この公知の装置の後面は周囲媒体を入れるための入口孔を有する。加えて、泡沫用チューブの筒状周囲に幾つかの入口孔が配置されている。ノズル本体から出る消火液は、泡沫用チューブの広い断面において消火液が発泡するように公知の装置のノズル本体に連結されたピンによってスワール状にされる。しかしながら、この公知の装置で発生せしめられた消火用泡沫は適用範囲が狭く、且つ火面に対して制限された粘着力しかもたない。このことに伴う制限された濡らし能力の結果、この装置で発生せしめられた泡沫は小さな消火能力しか持たない。
【０００３】
本発明の目的は、改良された粘着力を備え適用範囲が広い消火用泡沫発生装置を提供することにある。
【０００４】
この目的は、本発明において、ノズル本体を囲う泡沫用チューブの部分に入口孔から出口孔に向かって細くなるようにテーパが付けられている導入部に記載した種類の消火用泡沫発生装置によって達成せしめられる。
【０００５】
本発明に従って構成された装置では、ノズル本体を出る消火液に加えられる運動量と組み合わせられるテーパにより、ベンチュリノズルのように周囲媒体が入口孔を介して泡沫用チューブに大量に高速で吸い込まれる。ノズル本体のノズルの手前の領域で発生せしめられた泡沫は、高速であって且つ消火液と周囲媒体とを混合させたことにより特に細かい構成を有する。このように細かく構成された消火用泡沫は確実に火面を濡らすことができるように高い粘着力を有する。このことにより、本発明の装置で発生した消火用泡沫の消火能力が改良される。
【０００６】
泡沫用チューブのテーパ状部分に連結された泡沫用チューブの筒状部分は生成される泡沫の流れを安定させるのに用いられる。流れの方向において泡沫用チューブの筒状部分に連結された第二の泡沫用チューブのテーパ状部分は付加的に泡沫を加圧することを可能にする。運動エネルギが高いレベルにある場合でも密集させることにより泡沫が崩壊してしまうのが防止されるので、加圧された泡沫は多くの場合利点を有し、これによりその適用範囲が広がる。また、流れの方向において泡沫用チューブの第二のテーパ状部分に連結された泡沫用チューブの第二の筒状部分は泡沫の流れを安定化させるのに用いられる。加えて、この泡沫用チューブの第二の筒状部分は流出する泡沫ジェットの方向を正確に定めることを可能にする。
【０００７】
本発明の泡沫用チューブは、消火液が高圧で、例えば４ＭＰａ（４０ｂａｒ）以上に加圧された消火器において使用されるのに特に有利である。このことに関して、消火剤に泡沫発生用添加剤が加えられておらず且つ消火液自体が高い運動エネルギを伴ってジェットとして泡沫用チューブから流出する場合に、泡沫用チューブが泡沫用チューブから流出する消火剤ジェットの適用範囲を大きく改良することは特に重要である。純粋な液体消火剤に本発明の泡沫用チューブを使用することは、向けられた消火液のジェットが遠く離れた所から火元に到達することが必要とされる場合に意味をなす。加えて、泡沫用チューブによって集中せしめられた消火液のジェットは対象に向けられたジェットによって火元内の奥深くに隠れている残り火でさえも濡らす。
【０００８】
実際には、泡沫用チューブの全長が泡沫用チューブの入口孔の大きさの三倍から四倍であると有利である。このような長さにすることにより、広い適用範囲を有する全体的には拡張しているが密集した泡沫となる。加えて、この長さの泡沫用チューブは取扱いが容易である。
【０００９】
本発明の好適な実施例では、ノズル本体は泡沫用チューブの壁上において支持要素によって支持されつつ泡沫用チューブ内に位置する。この簡単な形態は小型で簡単に取付可能な構成要素を形成することを可能にする。このことに関して、支持要素がノズル本体上に形成されることにも利点がある。このことは支持要素がノズル本体と単一の部材として形成される場合に特に確実である。その結果、装置の形状は製造するのが簡単でメンテナンスが少なくて済むような形状となる。
【００１０】
消火液は、ノズル本体のノズル孔を出ると、断面が突然広がることによってスワール状になる。このように旋回することによって、消火液が広がる。このために、流れの方向においてノズル孔の手前にノズル本体がチャンバを有すると特に有利である。このことはノズル孔の限定された断面によって集中せしめられた消火液が予備的に旋回することができるようにし、そしてノズル孔を出る時に再び旋回せしめられる。このことは泡沫孔をより細かく分散させる。特に、泡沫用チューブが回転可能な対称的な形状の場合、ノズル本体が中央ノズル孔を有することに利点がある。この構成により、消化液が泡沫用チューブの中央線に沿って容易に流出し、全ての方向への拡張するための十分な空間をえることができる。
【００１１】
噴射ノズルが流れの方向においてノズル孔の前方にスクリーンを有することが特に有利である。このことは特にノズル孔とスクリーン孔とが部分的にのみ重なる場合に確実である。この部分的な重なりは、いわゆる引き裂き縁部を形成し、消火液のスワールを強力なものとする。スクリーンがスクリーンとノズル本体との中央共通軸線周りの円に配設された複数のスクリーン孔を有する場合、消火液は小さいスワールに分割されてノズル孔から流出し、そして吸い込まれた周囲媒体と混合されることによってより小さいスワールに分割され、こうして改良された泡沫となる。
【００１２】
このような消火用泡沫発生装置を液体霧で消火する公知の種類の消火ノズルヘッドに連結するように扱い且つ使用することに利点があることは明らかである。以下の例に詳細に説明するように、このことは消火用ノズルヘッドが幾つかのジェットに分割して消火液を出すようなノズルを有する場合に特に確実である。
【００１３】
実施例の図面を参照して例についてより詳細に説明する。
泡沫用チューブ１２は、消火用ノズルヘッド１に配置された大きな直径Ｄ１を有する入口孔から円錐状に細くなるようにテーパが付けられ且つ一定の直径Ｄ２を有する第一の筒状部分１４へと遷移する第一の部分１３を有する。第一の筒状部分１４は第二のテーパ状部分１５に連結せしめられ、この第二のテーパ状部分１５は第二の筒状部分１６へと遷移する。第二の筒状部分１６の一定の直径Ｄ３は泡沫用チューブ１２の泡沫用出口孔１７の直径に一致する。
【００１４】
泡沫用チューブ１２の円錐状の第一の部分１３はノズル本体１８を脚部１９によって泡沫用チューブ１２の長手軸線Ｌと同軸に保持しつつ収容する。脚部１９はノズル本体に一体に組み込まれ且つ第一の部分１３の壁に支持される。脚部１９とノズル本体１８との間に吸引孔２０が配置され、これら吸引孔２０を介して主に空気である周囲媒体が周囲から泡沫用チューブ１２内に吸い込まれる。
【００１５】
ノズル本体１８は面２１を有し、この面において噴出ノズル２２がノズル本体１８内へと形成される。噴出ノズル２２のボア孔は面２１とは反対側でノズル本体に形成されたチャンバ２３に通じる。チャンバ２３を囲うノズル本体１８の壁の外側に雄ねじ３０が配置され、この雄ねじ３０は泡沫用チューブ１２をスリーブ２９にねじ込むのに使用される。
【００１６】
二つのノズルボア孔２５、２６を備えたスクリーンディスク２４がチャンバ２３内に取付けられる。ノズルボア孔２５、２６は、スクリーンディスク２４のノズルボア孔２５、２６が部分的にのみ開口し且つ噴射ノズル２２の縁部の尖った縁部２７がそれぞれノズルボア孔２５、２６のところに配設せしめられるようにして、部分的にノズル本体１８の噴射ノズル２２と通じる。
【００１７】
図１に示したように、スリーブ２９にはその両端にそれぞれ雌ねじが設けられ、スリーブ２９は泡沫用チューブ１２を消火用ノズル要素４の雄ねじにねじ込むのに使用される。消火用ノズル要素４は面２の中央に位置する消火用ノズルヘッド１の凹部３に取付けられる。
【００１８】
消火用ノズル要素４はその自由面５に配設された中央消火用ノズル６を有する。消火用ノズルヘッド１の面２は一周する傾斜面１ｂへと続き、この傾斜面１ｂには霧発生用ノズル１ｃが配置される。
【００１９】
消火用ノズル要素４の中央消火用ノズル６周りにおいて、中央消火用ノズル６から僅かな距離にある円Ｋ上に角度方向の間隔が一定になるように三つの補助ノズル７ａ、７ｂ、７ｃが配置される。これら三つのノズルのノズルボア孔は中央消火用ノズル６のボア孔と平行に軸線方向に延びる。補助ノズル７ａ、７ｂ、７ｃの直径は中央消火用ノズル６の直径よりも小さい。
【００２０】
中央消火用ノズル６と補助ノズル７ａ、７ｂ、７ｃとは、面５の反対側に位置する前側から続き且つ消火用ノズル要素４内に形成されたチャンバ８に接続される。チャンバ８は中央消火用ノズル６のボア孔と補助ノズル７ａ、７ｂ、７ｃのボア孔との開口に配置された部分８ａを有し、この部分８ａの壁はボア孔の開口に向かって所定の角度で細くなるようにテーパが付けられている。
【００２１】
面５に対して消火用ノズル要素４の前方に位置する領域に面５から所定の距離で組立工具（図示せず）を係合することができる六角ナット９が設けられる。加えて、消火用ノズル要素４にはチャンバ８を囲う後方領域において雄ねじ１０が形成され、この雄ねじ１０は消火用ノズル要素４を対応するように形成された受容部３のネジ部にねじ込むのに用いられる。六角ナット９と面５との間の消火用ノズル要素４の部分には別の雄ねじ１１が設けられる。
【００２２】
泡沫剤含有消火液は消火用ノズルヘッド１の通路２８を通って消火用ノズル要素４のチャンバ８内に流入する。そして、消火液は、チャンバ８から中央消火用ノズル６のボア孔と補助ノズル７ａ、７ｂ、７ｃのボア孔とへ流入し、これら中央消火用ノズル６と補助ノズル７ａ、７ｂ、７ｃとから平行に向いたジェットとして流出する。補助ノズル７ａ、７ｂ、７ｃから流出するジェットは、これらジェットが広い適用範囲をもつように中央消火用ノズル６から流出するジェットをサポートする。加えて、補助ノズル７ａ、７ｂ、７ｃから流出するジェットは、スプレーパターンが単一のジェットに比べて大きな面上に中央消火用ノズル６と補助ノズル７ａ、７ｂ、７ｃとの分布に基づいて消火用ノズル要素４に配置される集中した四つの消火地点を有することを確実なものとする。
【００２３】
このように分割されたジェットは、ノズル本体１８のチャンバ２３内でスワール状になり、ノズルボア孔２５、２６を介して噴出ノズル２２に到達する。既に粒状になったジェットから形成され且つノズルボア孔２５、２６を通過するジェットは、噴射ノズル２２の縁部２７において旋回せしめられ、これにより高い運動エネルギを持った細かく分散された粒からなる補助ジェットが噴射ノズル２２を介して泡沫用チューブ１２内に流入する。
【００２４】
この霧状ジェットは、消火液が混合添加剤を備えた泡沫を発生させるように、ベンチュリノズルのように吸引孔２０を介して泡沫用チューブ１２へ周囲の空気を吸い込む。消火液が細かく粒状化されることにより、この泡沫は非常に細かく構成されるようになる。この非常に細かい消火用泡沫は泡沫用チューブ１２から流出して、高い運動エネルギを伴って火元に向かって発射される。このように細かく構成された消火用泡沫は、この消火用泡沫が確実に火面を濡らすように且つ高い消火能力を有するように高い粘着力を有する。
【００２５】
消火用ノズルヘッド１（詳細には図示せず）を備えた消火器を操作している消火員を保護するために、必要であればバルブ（図示せず）の状態に応じて霧発生用ノズル１ｃも消火液で満たされる。これによってできる湿った霧は対象の火の周囲を冷却するだけでなく、消火員を効果的に保護する。同時に、このことは、泡沫が流出する方向とは異なった方向に霧が流出して且つ消火用泡沫の運動エネルギが霧の運動エネルギより遥かに大きいので、消火用泡沫の状態には影響を及ぼさない。
【図面の簡単な説明】
【図１】  付属の泡沫用チューブを備えた消火用ノズルヘッドの軸線方向の断面図である。
【図２】  図１の泡沫用チューブの軸線方向の拡大断面図である。
【図３】  図２の線Ｘ−Ｘに沿った泡沫用チューブの断面図である。
【図４】  消火用ノズルヘッドの正面図である。
【図５】  消火用ノズル要素の軸線方向の断面図である。
【図６】  図５の消火用ノズル要素の正面図である。
【符号の説明】
１…消火用ノズルヘッド
１ｂ…傾斜面
１ｃ…霧発生ノズル
２…面
３…容器
４…消火用ノズル要素
５…面
６…消火用ノズル
７ａ、７ｂ、７ｃ…補助ノズル
８…チャンバ
８ａ…チャンバ８の部分
９…六角ナット
１０…ネジ山
１１…ネジ山
１２…泡沫用チューブ
１３…部分
１４…筒状部分
１５…部分
１６…筒状部分
１７…泡沫用出口孔
１８…ノズル本体
１９…脚部
２０…吸引孔
２１…面
２２…噴射ノズル
２３…チャンバ
２４…スクリーンディスク
２５、２６…ノズルボア孔
２７…縁部
２８…通路
２９…スリーブ
３０…雄ねじ
ａ…距離
ａ…角度
Ｄ１、Ｄ２、Ｄ３…直径
Ｋ…円
Ｌ…長手軸線
【図１】
0004316811.tif 000002
【図２】
0004316811.tif 000003
【図３】
0004316811.tif 000004
【図４】
0004316811.tif 000005
【図５】
0004316811.tif 000006
【図６】
0004316811.tif 000007